(57)【特許請求の範囲】
【請求項１】
均しコンクリートの上に基礎の鉄筋組をして、基礎型枠を仮設材と型枠結合金物で型枠組をし、排水管と止水栓を接続配管して、止水板を取付けて基礎コンクリートの打設をする、該基礎コンクリートが凝固して成る基礎コンクリート躯体、該基礎コンクリート躯体に内壁化粧打込み型枠とスラブ化粧打込み型枠並びに開口水密扉を建て込み、コンクリート躯体の鉄筋組をして、打込み型枠結合金物を用いて外壁化粧打込み型枠を建て込み、該外壁化粧打込み型枠の上に、軒樋付雨水貯留タンクをビスで固定して、該軒樋付雨水貯留タンクの下に浮体をビスで固定して躯体コンクリートを打設し、該躯体コンクリートが凝固して成るコンクリート躯体、該コンクリート躯体と基礎コンクリート躯体で構成した、浮動型津浪避難シェルターに床束を用いて防臭床を組固定して床下空間を設け、該床下空間から立ち上げた排水管に便器を取付けて、該便器に軒樋付雨水貯留タンクから給水管を接続する、それらの構成を有することを特徴とする床下を汚泥槽に使用する浮動型津浪避難シェルター。
【請求項２】
前記、浮動型津浪避難シェルターに組固定した防臭床上に立ち上げた、排水管に便器を接続して床下空間に汚水を排出する、排出された汚水は止水栓を設けた排水管で外部汚水桝に排出し、床下空間内の空気は排気管で屋上に排出する構成としたことを特徴とする請求項１記載の床下を汚泥槽に使用する浮動型津浪避難シェルター。
【請求項３】
前記、浮動型津浪避難シェルターに設けた、軒樋付雨水貯留タンクと便器を給水管で接続する構成としたことを特徴とする請求項１または２記載の床下を汚泥槽に使用する浮動型津浪避難シェルター。
【請求項４】
前記、浮動型津浪避難シェルターに設けた、軒樋付雨水貯留タンクの下に浮体をビスで固定する構成としたことを特徴とする請求項１〜３の何れか一項に記載の床下を汚泥槽に使用する浮動型津浪避難シェルター。
【請求項５】
前記、浮動型津浪避難シェルターの屋上に吸排気筒を設けたことを特徴とする請求項１〜４の何れか一項に記載の床下を汚泥槽に使用する浮動型津浪避難シェルター。
【発明の詳細な説明】
【技術分野】
【０００１】
本発明は、巨大津波にも対応ができることを目的とした、床下を汚泥槽に使用する浮動型津浪避難シェルターに関するものである。
【背景技術】
【０００２】
東日本大震災による大津波で甚大な津浪被害を蒙り、近い将来に発生が予想される南海トラフ巨大地震による津浪被害が想定される沿岸市町村は津浪防災を必要としている。
【０００３】
津浪防災の現状は、津浪防潮堤や高台避難や避難タワーへの避難並びに避難訓練が主流であるが、高台避難や避難タワーへの避難は、少子高齢者や要介護者など弱者は、津浪の到達時間に避難ができないのが現状である。
【０００４】
高台避難への移動手段は、徒歩か自転車、車両による避難訓練がされているが、沿岸部地域市町村の道路は狭く、家屋や塀が倒壊すれば避難訓練は無となる。特に、家屋の形態から屋根瓦の脱落で道路はふさがれる恐れがある。
【０００５】
津浪避難シェルターの開発は、小規模の浮動型津浪避難シェルターや津浪避難カプセルが開発されているが、いずれも津浪防災に寄与できるものではない。
【０００６】
しかしながら、発生が予想される巨大地震の、巨大津波に対応ができる津浪避難シェルターの開発が求められている。
【先行技術文献】
【特許文献】
【０００７】
【特許文献１】無し
【０００８】
【非特許文献１】無し
【発明の開示】
【発明が解決しようとする課題】
【０００９】
今日、甚大な津浪被害を蒙った過去の津波災害や東北被災地の教訓は生かされず、津浪避難シェルターの開発は進んでいないのが現状である。
【００１０】
このような現状であっても、今後、進められる固定型津浪避難シェルターや浮動型津浪避難シェルターなど、多種多様な津浪避難シェルターの開発は必要である。
【００１１】
本発明は、東日本大震災による大津波の甚大な被害状況の検証を踏まえ、近い将来に発生が予想される、南海トラフ巨大地震等の巨大津波に備え、平時に多目的且つ有効に利用ができるとともに、如何なる津波が発生しても家族や地域住民の命が守れる備えをした、浮動型津浪避難シェルターを開発する発想に至り、床下を汚泥槽に使用する浮動型津浪避難シェルターを提供するものである。
【課題を解決するための手段】
【００１２】
この発明は、上記の課題を解決するためになされたもので、均しコンクリートの上に基礎の鉄筋組をして、基礎型枠を仮設材と型枠結合金物で型枠組をし、排水管と止水栓を接続配管して、止水板を取付けて基礎コンクリートの打設をする、該基礎コンクリートが凝固して成る基礎コンクリート躯体、該基礎コンクリート躯体に内壁化粧打込み型枠とスラブ化粧打込み型枠並びに開口水密扉を建て込み、コンクリート躯体の鉄筋組をして、打込み型枠結合金物を用いて外壁化粧打込み型枠を建て込み、該外壁化粧打込み型枠の上に、軒樋付雨水貯留タンクをビスで固定して、該軒樋付雨水貯留タンクの下に浮体をビスで固定して躯体コンクリートを打設し、該躯体コンクリートが凝固して成るコンクリート躯体、該コンクリート躯体と基礎コンクリート躯体で構成した、浮動型津浪避難シェルターに床束を用いて防臭床を組固定して床下空間を設け、該床下空間から立ち上げた排水管に便器を取付けて、該便器に軒樋付雨水貯留タンクから給水管を接続する、それらの構成を有することを特徴とする床下を汚泥槽に使用する浮動型津浪避難シェルター（請求項１）を提供する。
【００１３】
前記、浮動型津浪避難シェルターに組固定した防臭床上に立ち上げた、排水管に便器を接続して床下空間に汚水を排出する、排出された汚水は止水栓を設けた排水管で外部汚水桝に排出し、床下空間内の空気は排気管で屋上に排出する構成としたことを特徴とする請求項１記載の床下を汚泥槽に使用する浮動型津浪避難シェルター（請求項２）を提供する。
【００１４】
前記、浮動型津浪避難シェルターに設けた、軒樋付雨水貯留タンクと便器を給水管で接続する構成としたことを特徴とする請求項１または２記載の床下を汚泥槽に使用する浮動型津浪避難シェルター（請求項３）を提供する。
【００１５】
前記、浮動型津浪避難シェルターに設けた、軒樋付雨水貯留タンクの下に浮体をビスで固定する構成としたことを特徴とする請求項１〜３の何れか一項に記載の床下を汚泥槽に使用する浮動型津浪避難シェルター（請求項４）を提供する。
【００１６】
前記、浮動型津浪避難シェルターの屋上に吸排気筒を設けたことを特徴とする請求項１〜４の何れか一項に記載の床下を汚泥槽に使用する浮動型津浪避難シェルター（請求項５）を提供する。
【発明の効果】
【００１７】
本発明の特筆すべき大きな効果を列挙する。
イ）浮動型津浪避難シェルターにすることで、巨大津浪にも対応が可能である。
ロ）浮動型津浪避難シェルターを平時に利用ができる規模にすることで、被災時の食糧の貯えから避難生活用品や家宝などの保管ができる。
ハ）浮動型津浪避難シェルターに軒樋付雨水貯留タンクを備えることで、水洗便器の使用やシャワー水など生活用水として雨水が有効利用できる。
二）浮動型津浪避難シェルターに浮体を装着することで、津浪避難シェルターの正状態が保てるとともに長期の漂流を可能にする。
ホ）浮動型津浪避難シェルターを鉄筋コンクリート造にすることで、津波火災に遭遇しても安全である。
へ）浮動型津浪避難シェルターを鉄筋コンクリート造にすることで、長時間の漂流中に台風や大波に遭遇しても揺れが小さく安全である。
【００１８】
請求項１に係る発明によれば、均しコンクリートの上に基礎の鉄筋組をして、基礎型枠を仮設材と型枠結合金物で型枠組をし、排水管と止水栓を接続配管して、止水板を取付けて基礎コンクリートの打設をする、該基礎コンクリートが凝固して成る基礎コンクリート躯体、該基礎コンクリート躯体に内壁化粧打込み型枠とスラブ化粧打込み型枠並びに開口水密扉を建て込み、コンクリート躯体の鉄筋組をして、打込み型枠結合金物を用いて外壁化粧打込み型枠を建て込み、該外壁化粧打込み型枠の上に、軒樋付雨水貯留タンクをビスで固定して、該軒樋付雨水貯留タンクの下に浮体をビスで固定して躯体コンクリートを打設し、該躯体コンクリートが凝固して成るコンクリート躯体、該コンクリート躯体と基礎コンクリート躯体で構成した、浮動型津浪避難シェルターに床束を用いて防臭床を組固定して床下空間を設け、該床下空間から立ち上げた排水管に便器を取付けて、該便器に軒樋付雨水貯留タンクから給水管を接続する、それらの構成を有することで、平時は多目的且つ有効に利用ができるとともに、上記で特筆した効果に加えて、如何なる津波が発生しても避難者の命が守れる効果は大きい。
【００１９】
請求項２に係る発明によれば、前記、浮動型津浪避難シェルターに組固定した防臭床上に立ち上げた、排水管に便器を接続して床下空間に汚水を排出する、排出された汚水は止水栓を設けた排水管で外部汚水桝に排出し、床下空間内の空気は排気管で屋上に排出する構成としたことで、平時に多目的且つ有効に利用ができるとともに、被災時に止水栓のバルブを閉めることで、床下空間が汚泥槽に利用ができることから、被災時に水洗便器が使える効果は多大である。
【００２０】
請求項３に係る発明によれば、前記、浮動型津浪避難シェルターに設けた、軒樋付雨水貯留タンクと便器を給水管で接続する構成としたことで、平時や被災時でも雨水が有効利用できる効果は大きい。
【００２１】
請求項４に係る発明によれば、前記、浮動型津浪避難シェルターに設けた、軒樋付雨水貯留タンクの下に浮体をビスで固定する構成としたことで、浮動型津浪避難シェルターの正常な浮力が保てるとともに大小の波でも大きな揺れが減少させる効果がある。
【００２２】
請求項５に係る発明によれば、前記、浮動型津浪避難シェルターの屋上に吸排気筒を設けたことで、避難シェルター内の密閉された空間が吸排気できる効果は大きい。
【図面の簡単な説明】
【００２３】
【図１】本発明に係る浮動型津浪避難シェルターの実施形態を示す断面図である。
【図２】同基礎コンクリート躯体の基礎型枠組を示した断面図である。
【図３】同軒樋付雨水貯留タンク部分の断面詳細図である。
【発明を実施するための最良の形態】
【００２４】
以下に、本発明の実施形態の添付図面を参照しつつ詳細に説明する。
【００２５】
本実施形態の図面について説明すれば、図１は、図２で示した、均しコンクリート１の上に鉄筋１５組をして、基礎型枠２を仮設材３と型枠結合金物４で型枠組をし、排水管５と止水栓６と外部汚水桝２３を接続配管して、止水板７を取付けて基礎コンクリート８の打設をして、該基礎コンクリート８の凝固で基礎コンクリート躯体Aを形成している。
該基礎コンクリート躯体Aに内壁化粧打込み型枠９とスラブ化粧打込み型枠１１並びに開口水密扉１３を建て込み鉄筋１５組をして、打込み型枠結合金物１２を用いて外壁化粧打込み型枠１０を建て込み、該外壁化粧打込み型枠１０の上に、軒樋付雨水貯留タンク１４をビス２２で固定して、該軒樋付雨水貯留タンク１４の下に浮体２６をビス２２で固定して躯体コンクリート１６を打設し、該躯体コンクリート１６が凝固してコンクリート躯体Bを形成している。
該コンクリート躯体Bと基礎コンクリート躯体Aで構成した浮動型津浪避難シェルターCに、床束１７を用いて防臭床１８を組固定して床下空間１９を設け、該床下空間１９から立ち上げた排水管５に便器２０を取付けて、該便器２０に軒樋付雨水貯留タンク１４と給水管２１で接続して、床下の空気は排気管２４で屋上に排気をし、室内空気は屋上に吸排気筒２５で吸排気をしている。
【００２６】
図２は、図１でも説明をしたが、図１の基礎コンクリート躯体Aの型枠組を示したもので、均しコンクリート１の上に鉄筋１５組をして、基礎型枠２を仮設材３と型枠結合金物４で型枠組をし、基礎コンクリート８の打設をして、該基礎コンクリート８の凝固で基礎コンクリート躯体Aを形成している。
【００２７】
図３は、内壁化粧打込み型枠９とスラブ化粧打込み型枠１１を建て込み鉄筋１５組をして、打込み型枠結合金物１２を用いて外壁化粧打込み型枠１０を建て込み、該外壁化粧打込み型枠１０の上に、軒樋付雨水貯留タンク１４をビス２２で固定して給水管２１と縦樋２７を配した、該軒樋付雨水貯留タンク１４の下に浮体２６をビス２２で固定して躯体コンクリート１６を打設し、該躯体コンクリート１６が凝固して成るコンクリート躯体Bの軒樋付雨水貯留タンク部分の拡大図である。
【実施例１】
【００２８】
上記の10平米程度の小規模な浮動型津浪避難シェルターについて説明すれば、図１、２で示すように、５０ｍｍ厚の均しコンクリート１の上に基礎の鉄筋１５組をして、補助桟とベニヤ型枠で構成した基礎型枠２を、仮設材３（鋼管バタ等）と型枠結合金物４を用いて在来工法で型枠組をして、コンクリートの打継部分からの漏水を防止するための止水板７を取付け、さらに、汚水排水を制御するための止水栓６を設けた排水管５を外部汚水桝２３に接続配管し、基礎コンクリート８の打設をして、該基礎コンクリート８の凝固で基礎コンクリート躯体Aを形成する。
該基礎コンクリート躯体Aに４０ｍｍ厚の内壁化粧打込み型枠９とスラブ化粧打込み型枠１１並びに開口水密扉１３を建て込み、コンクリート躯体Bの鉄筋１５組をして、打込み型枠結合金物１２を用いて４０ｍｍ厚の外壁化粧打込み型枠１０を建て込み、該外壁化粧打込み型枠１０の上に成形された軒樋付雨水貯留タンク１４を図１、３で示すように、ビス２２で固定して、該軒樋付雨水貯留タンク１４の下に、発砲スチロールを鋼板で保護して成る浮体２６をビス２２で固定して躯体コンクリート１６を打設し、該躯体コンクリート１６が凝固してコンクリート躯体Bが形成される。
該コンクリート躯体Bと基礎コンクリート躯体Aで構成した浮動型津浪避難シェルターCに、床束１７を用いて防臭床１８を組固定して床下空間１９を設け、該床下空間１９から立ち上げた排水管５に便器２０を取付けて、該便器２０に軒樋付雨水貯留タンク１４から給水管２１で接続して水洗の便器２０の使用を可能にした。
さらに、床下の空気は排気管２４で屋上に排気をして床下空間１９内を減圧し、浮動型津浪避難シェルターC内の空気は屋上に吸排気筒２５を設けて吸排気を可能にした。
津浪災害時について説明を加えれば、津波による海水は外部汚水桝２３から床下空間１９内に侵入するため、汚水の排水管５に設けている止水栓６のバルブを閉めることで、床下空間１９が汚泥槽に変わり、平時と同様に水洗の便器２０の使用が可能になる。
また、該軒樋付雨水貯留タンク１４の下に発砲スチロールを鋼板で保護して成る浮体２６を図１、３で示すように、外壁化粧打込み型枠１０から突出させて設けることで、浮動型津浪避難シェルターCの正常な浮力が保てるとともに、コンクリート躯体Bと基礎コンクリート躯体Aの荷重が加わることで大小の波でも大きな揺れが減少される。
【００２９】
この発明において、実施例や図面に示した形状は一例を示したものであり、同様の機能を果たす多種多様な形状に置き換えることは可能である。例えば、実施例では10平米程度の小規模な浮動型津浪避難シェルターについて説明したが、本発明は規模を限定するものではない。さらに、実施例１で示した寸法や材質について変更することは発明の範囲である。
【産業上の利用可能性】
【００３０】
地震多発国日本に於いて、近い将来に発生が予想される南海トラフ巨大地震等の巨大津波に備えて、如何なる津波にも対応ができる浮動型津浪避難シェルターの開発が求められている。他方、何時発生するか分からない津浪の避難シェルターは平時に多目的且つ有効に利用ができる、規模と構造を備えた津浪避難シェルターの開発が大切であるとともに、津浪防災に大きく貢献ができる。
【符号の説明】
【００３１】
１…均しコンクリート
２…基礎型枠
３…仮設材
４…型枠結合金物
５…排水管
６…止水栓
７…止水板
８…基礎コンクリート
９…内壁化粧打込み型枠
１０…外壁化粧打込み型枠
１１…スラブ化粧打込み型枠
１２…打込み型枠結合金物
１３…開口水密扉
１４…軒樋付雨水貯留タンク
１５…鉄筋
１６…躯体コンクリート
１７…床束
１８…防臭床
１９…床下空間
２０…便器
２１…給水管
２２…ビス
２３…外部排水桝
２４…排気管
２５…吸排気筒
２６…浮体
２７…縦樋
A…基礎コンクリート躯体
B…コンクリート躯体
C…浮動型避難シェルター
【要約】
【課題】本発明は、津浪被災時に水洗便器が使える、床下を汚泥槽に使用する浮動型津浪避難シェルターを提供する。
【解決手段】基礎コンクリート躯体Aの上に内壁化粧打込み型枠９とスラブ化粧打込み型枠１１並びに開口水密扉１３を建て込み、鉄筋１５組をして打込み型枠結合金物１２を用いて外壁化粧打込み型枠１０を建て込み、該外壁化粧打込み型枠１０の上に、軒樋付雨水貯留タンク１４を固定して、その下に浮体２６を固定して躯体コンクリート１６を打設して成る浮動型津浪避難シェルターCに設けた、床下空間１９から立ち上げた排水管５に便器２０を取付けて、軒樋付雨水貯留タンク１４と給水管２１で接続して水洗便器２０の使用を可能にしたことを特徴とする、床下を汚泥槽に使用する浮動型津浪避難シェルター。
【選択図】図１【図１】
0005424070.tif 000002
【図２】
0005424070.tif 000003
【図３】
0005424070.tif 000004